(57)【要約】【課題】従来の電灯に更に警報機能を強化させることにより、照明用、防犯用等として一層優れた携帯用電灯を提供する。【解決手段】発光ダイオード１５と、警報音を発する警報手段１７と、該発光ダイオード及び該警報手段の電源となる二次電池１９と、該二次電池を充電するための太陽電池と、該発光ダイオードを制御するための第一の手動スイッチと、該警報手段を制御するための第二の手動スイッチとを備えていることを特徴とする携帯用電灯。【選択図】図１
0003164622.tif 000002
【実用新案登録請求の範囲】
【請求項１】
発光ダイオードと、警報音を発する警報手段と、該発光ダイオード及び該警報手段の電源となる二次電池と、該二次電池を充電するための太陽電池と、該発光ダイオードを制御するための第一の手動スイッチと、該警報手段を制御するための第二の手動スイッチとを備えていることを特徴とする携帯用電灯。
【請求項２】
前記発光ダイオードと、前記警報手段と、前記二次電池と、前記太陽電池と、前記第一の手動スイッチと、前記第二の手動スイッチとを衣類のポケットに収納するに適した大きさの箱状体に備えさせたことを特徴とする請求項１に記載の携帯用電灯。
【考案の詳細な説明】
【技術分野】
【０００１】
本考案は、携帯用電灯に関するものである。本考案による携帯用電灯は、児童生徒の通園時、通学時、外出時等、ないしは大人の通勤時、外出時、夜間の散歩時等、或いはキャンプ時、登山時、旅行時、更には夜間における地震等の非常時に照明用、防犯用等に使用される。
【背景技術】
【０００２】
本出願人は、実用新案登録第３０８７４５３号公報において、照明用、防犯用等の電灯（以下「従来の電灯」という。）を提供している。
【０００３】
上記従来の電灯は、発光ダイオードと、該発光ダイオードの電源となる二次電池と、該二次電池を充電するための太陽電池と、該発光ダイオードを手動点滅させるための手動スイッチと、周囲が暗いときに該発光ダイオードを点灯させ周囲が明るいときに該発光ダイオードを消灯させるための自動点滅手段とを備えている。
【先行技術文献】
【特許文献】
【０００４】
【特許文献１】実用新案登録第３０８７４５３号公報
【考案の概要】
【考案が解決しようとする課題】
【０００５】
上記従来の電灯は、優れたものではあるが、本考案は、従来の電灯に更に警報機能を強化させることにより、照明用、防犯用等として一層優れた携帯用電灯を提供しようとしてなされたものである。
【課題を解決するための手段】
【０００６】
上記課題を解決するために、本考案は下記の携帯用電灯を提供するものである。
【０００７】
（１）発光ダイオードと、警報音を発する警報手段と、該発光ダイオード及び該警報手段の電源となる二次電池と、該二次電池を充電するための太陽電池と、該発光ダイオードを制御するための第一の手動スイッチと、該警報手段を制御するための第二の手動スイッチとを備えていることを特徴とする携帯用電灯。
【０００８】
（２）前記発光ダイオードと、前記警報手段と、前記二次電池と、前記太陽電池と、前記第一の手動スイッチと、前記第二の手動スイッチとを衣類のポケットに収納するに適した大きさの箱状体に備えさせる（請求項２）。
【考案の効果】
【０００９】
［請求項１の考案］  
請求項１の考案によれば、携帯用電灯の使用者は、暗時ないし暗所において、必要に応じて第一の手動スイッチにより発光ダイオードを点灯させ、或いは消灯させることができる。また、携帯用電灯の使用者は、危険発生時等の非常時には第二の手動スイッチにより警報手段を作動させ、警報音を発生させることもできる。したがって、この携帯用電灯は、照明用のみならず、防犯用としても優れたものである。
【００１０】
すなわち、この携帯用電灯は、必要時に警報音を発生させることができるため、特に、子供、女性、高齢者等は、自己の身に危険が発生したこと又はそのおそれがあることを警報音により第三者に知らせることにより、当該第三者の助けを求めることができる。また、例えば、地震発生時等に携帯用電灯の使用者が倒壊した建物等の下敷になって脱出不能状態に陥っとき等には、警報音を発することにより、自己の存在と位置とを近傍の第三者に知らせることもできる。
【００１１】
［請求項２の考案］
前記発光ダイオードと、前記警報手段と、前記二次電池と、前記太陽電池と、前記第一の手動スイッチと、前記第二の手動スイッチとを衣類のポケットに収納するに適した大きさの箱状体に備えさせたため、使用者は携帯用電灯用を衣類のポケット、ハンドバッグ、カバン等に収納して携帯することができる。
【図面の簡単な説明】
【００１２】
【図１】図１は、本考案による携帯用電灯の一例を示す断面図である。
【図２】図２は、同上携帯用電灯の斜視図である。
【図３】図３は、同上携帯用電灯の側面図である。
【図４】図４は、同上携帯用電灯の底面図である。
【考案を実施するための形態】
【００１３】
符号１に示すものは、携帯用電灯のケースである。ケース１は、好ましくは、衣類のポケットに収納するに適した大きさの箱状体とし、ケース本体１１における上面開口部３にヒンジ５を介して蓋７を開閉自在に取り付けている。すなわち、ケース１は、ケース本体１１と蓋７とよりなる。衣類のポケットに収納するに適した大きさの箱状体は、例えば、４〜７ｃｍ×４〜７ｃｍ×０．５〜１．５ｃｍ程度の箱状体とする。
【００１４】
蓋７は先端縁下面にフック９を備え、ケース本体１１における対応縁には該フック９に対応するフック受け１３が設けられている。該フック９をフック受け１３に挿嵌することにより、蓋７は箱状体１の本体１１における上面開口部３を閉じた状態に保持される。
【００１５】
ケース１内には、発光ダイオード１５と、警報音を発する警報手段１７と、該発光ダイオード１５及び該警報手段１７の電源となる二次電池１９とが配設されている。
【００１６】
警報手段１７としては、例えば、ブザー、ベル等が用いられる。二次電池（充電式電池）１９としては、例えば、リチウムイオン二次電池等が用いられる。
【００１７】
ケース１における発光ダイオード１５の前面には、一例として透明板２１が取り付けられている。ケース１における警報手段１７の近傍には、一例として網状体２３が取り付けられている。
【００１８】
ケース１の外面には二次電池１９を充電するための太陽電池２５が配設されている。太陽電池２５としては、例えばシリコン太陽電池が用いられる。図示の事例においては、太陽電池２５は、ケース本体１１の裏面１１ａに取り付けられている。
【００１９】
ケース１には、更に、発光ダイオード１５を制御するための第一の手動スイッチ２７と、警報手段１７を制御するための第二の手動スイッチ２９を備えさせる。第一の手動スイッチ２７と第二の手動スイッチ２９とは、如何なるものであっても差し支えない。
【００２０】
なお、ケース１内には、制御回路３１が配設されている。図２における符号３３に示すものは、ケース１に取り付けられたストラップである。
【符号の説明】
【００２１】
１  ケース
３  上面開口部
５  ヒンジ
７  蓋
９  フック
１１  ケース本体
１１ａ  裏面
１３  フック受け
１５  発光ダイオード
１７  警報手段
１９  二次電池
２１  透明板
２３  網状体
２５  太陽電池
２７  第一の手動スイッチ
２９  第二の手動スイッチ
３１  制御回路
３３  ストラップ
【図１】
0003164622.tif 000003
【図２】
0003164622.tif 000004
【図３】
0003164622.tif 000005
【図４】
0003164622.tif 000006